(57)【特許請求の範囲】
【請求項１】
脚部全体ないし腕部全体の血液及びリンパ液の循環を促進するためのマッサージ器において、
伸縮自在な材質から輪状に形成された軸芯と、該軸芯を通す挿通孔が形成された複数のローラとを備え、
前記軸芯は、伸縮自在な紐を中心として、該紐をコイルばねの内部に挿通し、該コイルばねの外周を伸縮自在なシートで被覆して成るものであり、
前記複数のローラを互いに隣接する状態で回転可能に前記軸芯に挿通させて成り、脚部ないし腕部に周回させて装着し脚部ないし腕部の略全長に亘って移動させる際に、脚部ないし腕部途中の形状及び太さに応じて前記軸芯が拡縮しつつ前記各ローラが回転し、脚部ないし腕部に対して押圧刺激を与えるように構成したマッサージ器。
【請求項２】
前記複数のローラのうち相対向する一対に、それぞれ把手を設けたことを特徴とする請求項１に記載のマッサージ器。
【請求項３】
前記複数のローラ間の適所に、前記軸芯がなす輪の径を調整すべく軸芯の一部を輪外部へ引き出す径調整部を設けたことを特徴とする請求項１または２に記載のマッサージ器。
【請求項４】
前記ローラは、弾性変形可能な材質から成ることを特徴とする請求項１，２または３に記載のマッサージ器。
【請求項５】
脚部全体ないし腕部全体の血液及びリンパ液の循環を促進するためのマッサージ器において、
相対向する一対の把手の先にそれぞれ設けられた一対の支持体と、各支持体の両端同士をそれぞれ繋ぐ湾曲可能な一対の連結軸と、各連結軸を覆うように外装され、連結軸に対して回転可能であり、かつ連結軸と共に湾曲可能な一対の長尺ローラとを備え、
前記各支持体の両端同士に前記連結軸及び前記長尺ローラをそれぞれ繋ぐことにより、相互に輪状に連結して成り、脚部ないし腕部に周回させて装着し脚部ないし腕部の略全長に亘って移動させる際に、脚部ないし腕部途中の形状及び太さに応じて前記長尺ローラが回転しつつ湾曲し、脚部全体ないし腕部に対して押圧刺激を与えるように構成したマッサージ器。
【請求項６】
前記連結軸及び前記長尺ローラは、長さの異なる複数種類のものが用意され、脚部ないし腕部の太さに応じて交換可能であることを特徴とする請求項５に記載のマッサージ器。
【発明の詳細な説明】
【技術分野】
【０００１】
本発明は、使用者の脚部全体ないし腕部全体の血液及びリンパ液の循環を促進するためのマッサージ器に関する。
【背景技術】
【０００２】
従来、この種のマッサージ器としては、例えば、特許文献１に示すようなものがある。すなわち、２個の棒状物体あるいはＵ字型のはさみの一端側の各々の先端部に同一方向へ折り曲げた折り曲げ部を設け、該折り曲げ部の各々に弾性体を、当該２個の弾性体で手の指及び足の指を挟めるように装着して構成されている。
【０００３】
【特許文献１】特開２００５−１１８５０９号公報
【発明の開示】
【発明が解決しようとする課題】
【０００４】
しかしながら、前述したような従来の技術では、手の指及び足の指の体液（血液、リンパ液等）の循環を促すにとどまるものであり、仮に大型化して構成したとしても、脚部全体ないし腕部を押圧できる部位は、それぞれの全周に亘るものではなく、一対の弾性体が接触する局所的なものとなる。そのため、脚部全体ないし腕部を一度に全周に亘り十分にマッサージすることは困難であり、血液及びリンパ液の循環を促進するには不十分であるという問題があった。
【０００５】
本発明は、以上のような従来技術が有する問題点に着目してなされたもので、脚部ないし腕部の全周に亘る押圧刺激を弱めることなく、脚部ないし腕部の略全長に亘り連続的に満遍なくマッサージを行うことを可能とし、血液及びリンパ液の循環を十分に促進して鬱血や疲労を解消しリラックス効果を得ることができるマッサージ器を提供することを目的としている。
【課題を解決するための手段】
【０００６】
前述した目的を達成するための本発明の要旨とするところは、以下の各項の発明に存する。  
［１］脚部全体ないし腕部全体の血液及びリンパ液の循環を促進するためのマッサージ器（１０）において、
伸縮自在な材質から輪状に形成された軸芯（２０）と、該軸芯（２０）を通す挿通孔（３１）が形成された複数のローラ（３０，３０ａ）とを備え、
前記軸芯（２０）は、伸縮自在な紐（２１）を中心として、該紐（２１）をコイルばね（２２）の内部に挿通し、該コイルばね（２２）の外周を伸縮自在なシート（２３）で被覆して成るものであり、
前記複数のローラ（３０，３０ａ）を互いに隣接する状態で回転可能に前記軸芯（２０）に挿通させて成り、脚部ないし腕部に周回させて装着し脚部ないし腕部の略全長に亘って移動させる際に、脚部ないし腕部途中の形状及び太さに応じて前記軸芯（２０）が拡縮しつつ前記各ローラ（３０）が回転し、脚部ないし腕部に対して押圧刺激を与えるように構成したマッサージ器（１０）。
【０００７】
［２］前記複数のローラ（３０，３０ａ）のうち相対向する一対（３０ａ）に、それぞれ把手（３２）を設けたことを特徴とする［１］に記載のマッサージ器（１０）。
【０００８】
［３］前記複数のローラ（３０，３０ａ）間の適所に、前記軸芯（２０）がなす輪の径を調整すべく軸芯（２０）の一部を輪外部へ引き出す径調整部（４０）を設けたことを特徴とする［１］または［２］に記載のマッサージ器（１０）。
【００１０】
［４］前記ローラ（３０，３０ａ）は、弾性変形可能な材質から成ることを特徴とする［１］，［２］または［３］に記載のマッサージ器（１０）。
【００１１】
［５］脚部全体ないし腕部全体の血液及びリンパ液の循環を促進するためのマッサージ器（１０ａ）において、
相対向する一対の把手（６０）の先にそれぞれ設けられた一対の支持体（７０）と、各支持体（７０）の両端同士をそれぞれ繋ぐ湾曲可能な一対の連結軸（８０）と、各連結軸（８０）を覆うように外装され、連結軸（８０）に対して回転可能であり、かつ連結軸（８０）と共に湾曲可能な一対の長尺ローラ（９０）とを備え、
前記各支持体（７０）の両端同士に前記連結軸（８０）及び前記長尺ローラ（９０）をそれぞれ繋ぐことにより、相互に輪状に連結して成り、脚部ないし腕部に周回させて装着し脚部ないし腕部の略全長に亘って移動させる際に、脚部ないし腕部途中の形状及び太さに応じて前記長尺ローラ（９０）が回転しつつ湾曲し、脚部全体ないし腕部に対して押圧刺激を与えるように構成したマッサージ器（１０ａ）。
【００１２】
［６］前記連結軸（８０）及び前記長尺ローラ（９０）は、長さの異なる複数種類のものが用意され、脚部ないし腕部の太さに応じて交換可能であることを特徴とする［５］に記載のマッサージ器（１０ａ）。
【００１３】
本発明は、次のように作用する。  
前記［１］に記載のマッサージ器（１０）によれば、脚部ないし腕部の先をマッサージ器（１０）の内側に通すように装着すると、輪状の軸芯（２０）を周回している複数のローラ（３０，３０ａ）が脚部ないし腕部に対して全周方向から押圧刺激を与える。このように装着した状態で、マッサージ器（１０）を脚部ないし腕部の略全長に亘って移動させる。例えば脚の爪先から太股にかけて移動させると、脚部途中の形状及び太さに応じて前記軸芯（２０）が拡縮しつつ各ローラ（３０）が回転し、脚部の全周方向より略全長に亘って満遍なく押圧刺激を与えることになる。
また、軸芯（２０）は、伸縮自在な紐（２１）を中心として、該紐（２１）をコイルばね（２２）の内部に挿通し、該コイルばね（２２）の外周を伸縮自在なシート（２３）で被覆して成るので、強靱かつ十分に伸縮性を得ることができると共に、各ローラ（３０，３０ａ）の挿通孔（３１）の内側が軸芯（２０）に対して食い込んだり引っ掛かる事態を防止することができる。
【００１４】
前記［２］に記載のマッサージ器（１０）によれば、複数のローラ（３０，３０ａ）のうち相対向する一対（３０ａ）に、それぞれ把手（３２）を設けたことにより、把手（３２）を掴んでマッサージ器（１０）全体を支持しながら、容易にマッサージ器（１０）を脚部ないし腕部に装着したり、容易にマッサージ器（１０）を移動させることができる。
【００１５】
前記［３］に記載のマッサージ器（１０）によれば、複数のローラ（３０，３０ａ）間の適所に、軸芯（２０）がなす輪の径を調整すべく軸芯（２０）の一部を輪外部へ引き出す径調整部（４０）を設けたことにより、人により様々に異なる脚部ないし腕部の太さに応じて、マッサージに最適な径に調整することができる。すなわち、径調整部（４０）により軸芯（２０）の一部を輪外部へ引き出す量を少なくすれば、より太い脚部ないし腕部に対応でき、径調整部（４０）により軸芯（２０）の一部を輪外部へ引き出す量を多くすれば、より細い脚部ないし腕部に対応できる。
【００１７】
前記［４］に記載のマッサージ器（１０）によれば、ローラ（３０，３０ａ）は弾性変形可能な材質から成るので、脚部ないし腕部に過度の刺激を与えるおそれがなく、人の手によってマッサージを施されているような高いリラックス効果を得ることができる。
【００１８】
前記［５］に記載のマッサージ器（１０ａ）によれば、前記［１］に記載のマッサージ器（１０）の場合と同様に、脚部ないし腕部の先をマッサージ器（１０ａ）の内側に通すように装着すると、相対向する一対の支持体（７０）と、各支持体（７０）の両端同士を繋ぐ一対の連結軸（８０）の周りの長尺ローラ（９０）とが、それぞれ脚部ないし腕部に対して全周方向から押圧刺激を与える。
このように装着した状態で、マッサージ器（１０ａ）を脚部ないし腕部の略全長に亘って移動させる。例えば脚の爪先から太股にかけて移動させると、脚部途中の形状及び太さに応じて長尺ローラ（９０）が回転しつつ湾曲し、脚部の全周方向より略全長に亘って満遍なく押圧刺激を与えることになる。
【００１９】
また、前記一対の支持体（７０）は、それぞれ相対向する一対の把手（６０）の先に形成されているから、把手（６０）を掴んでマッサージ器（１０ａ）全体を支持しながら、容易にマッサージ器（１０ａ）を脚部ないし腕部に装着したり、容易にマッサージ器（１０ａ）を移動させることができる。
【００２０】
前記［６］に記載のマッサージ器（１０ａ）によれば、連結軸（８０）及び長尺ローラ（９０）は、長さの異なる複数種類のものが用意されており、脚部ないし腕部の太さに応じて交換可能であるから、人により様々に異なる脚部ないし腕部の太さに応じて、マッサージに最適な大きさに調整することができる。
【発明の効果】
【００２１】
本発明に係るマッサージ器によれば、脚部ないし腕部の先をマッサージ器の内側に通すように装着し、マッサージ器を脚部ないし腕部の略全長に亘って移動させることにより、脚部ないし腕部途中の形状及び太さに応じて軸芯が拡縮しつつ各ローラが回転し、脚部の全周方向より略全長に亘って満遍なく押圧刺激を与えることができ、血液及びリンパ液の循環を十分に促進して鬱血や疲労を解消しリラックス効果を得ることができる。
【発明を実施するための最良の形態】
【００２２】
以下、図面に基づき本発明を代表する各種実施の形態を説明する。  
図１〜図６は本発明の第１実施の形態を示している。  
本実施の形態に係るマッサージ器１０は、脚部全体の血液及びリンパ液の循環を促進するための器具である。以下、主に脚部用のマッサージ器１０として使用する場合を例に説明する。
【００２３】
図１に示すように、マッサージ器１０は、伸縮自在な材質から輪状に形成された軸芯２０と、該軸芯２０を通す複数のローラ３０，３０ａとを備え、各ローラ３０，３０ａを互いに隣接する状態で回転可能に軸芯２０に挿通させて成る。図２及び図３に示すように、軸芯２０は伸縮自在な紐２１を中心として、該紐２１をコイルばね２２の内部に挿通し、該コイルばね２２の外周を伸縮自在なシート２３で被覆して成る。
【００２４】
具体的には、紐２１は例えばゴム紐から成り、コイルばね２２は、紐２１の外径よりも内径が大きく設計されている例えば鋼製のものが適する。シート２３は、コイルばね２２の外径よりも内径が若干大きな例えば塩化ビニルシート製チューブを採用すると良い。
また、各ローラ３０は、例えば発泡ウレタンや剛性のあるスポンジ等の弾性変形可能な材質より球形に成形したものである。なお、各ローラ３０の形状を全体的に小さくすれば、より多くのローラ３０を軸芯２０に繋げることができるが、各ローラ３０の形状ないし数は、任意に定めれば良い設計的事項である。
【００２５】
各ローラ３０には、その中心軸に沿って前記軸芯２０を挿通させる挿通孔３１が形成されている。ここで挿通孔３１の内径は、ローラ３０が軸芯２０に対して自由に回転できるように、軸芯２０の外径（詳しくはシート２３の外径）よりも大きく設定すると良い。なお、各ローラ３０の形状や材質は、前述した例に限定されるものではなく、他に例えば円柱形に成形しても良い。軸芯２０の材質ないし構造に関しても、前述した例に限定されるものではない。
【００２６】
図１に示すように、軸芯２０に対して数珠状に密に挿通された各ローラ３０，３０ａのうち、相対向する一対のローラ３０ａだけは、図示したように円柱形に成形されており、該一対のローラ３０ａには、それぞれ把手３２が一体的に設けられている。一対のローラ３０ａ及び把手３２に関しては、剛性のある合成樹脂等により成形すると良い。なお、ローラ３０ａの部分に関しては、前記ローラ３０と同様に発泡ウレタンや剛性のあるスポンジ等の弾性変形可能な材質より成形しても良い。
【００２７】
また、一対のローラ３０ａの間には、軸芯２０がなす輪の径を調整すべく軸芯２０の一部を輪外部へ引き出す径調整部４０が設けられている。図４及び図５に示すように、径調整部４０は、箱状本体４１の内部に中空部４２と、該中空部４２内に左右両側から連通する一対の挿通溝４３とを凹設し、中空部４２内に、前記軸芯２０の途中に係脱可能なストッパ４４を内装して成る。
【００２８】
中空部４２の前端側は、箱状本体４１の前方へ開口しており、中空部４２内は、開口に向かって幅が漸次広がっている。軸芯２０のループ途中は、前記各挿通溝４３を通って中空部４２内に導かれ、中空部４２内にて軸芯２０の間にストッパ４４が配された状態で、軸芯２０の一部は中空部４２の開口より外部へ引き出されている。
【００２９】
ストッパ４４の両側端には、それぞれ軸芯２０に係脱すべく、中空部４２の開口側に向かって鋭角に傾斜した複数の突起が設けられている。ストッパ４４は、中空部４２内にて前後方向に移動可能であり、ストッパ４４を中空部４２の奥側（開口の反対側）へ押し込むことにより、両側端の複数の突起がそれぞれ軸芯２０に係合する一方、ストッパ４４を中空部４２の開口側へ引き出すことにより、両側端の複数の突起がそれぞれ軸芯２０から離脱するように設定されている。
【００３０】
箱状本体４１の上面側は取外し可能な蓋部４１ａと成っており、該蓋部４１ａの略中央には、前後方向に延びるガイド溝４１ｂが形成されている。ストッパ４４の上面部には操作杆４５が上向きに突設されており、該操作杆４５の途中が前記ガイド溝４１ｂに移動可能に嵌合している。
【００３１】
操作杆４５を前後方向に動かすことにより、軸芯２０がなす輪の径を調整すべく軸芯２０の一部を輪外部へ引き出した状態にて、中空部４２内における軸芯２０の途中を拘束したり拘束解除することができる。なお、ストッパ４４は、ばね部材４６によって軸芯２０を拘束する中空部４２の奥側（開口の反対側）へ常時付勢されている。
【００３２】
次に、第１実施の形態に係るマッサージ器１０の作用を説明する。  
使用者は、先ず最初に自分の脚部の太さに応じて、マッサージ器１０の軸芯２０がなす径を最適な大きさに調整する。すなわち、図４において、径調整部４０の操作杆４５を前方に引き出すことにより、ストッパ４４による軸芯２０の拘束を解除し、この状態で余分な長さ分だけ軸芯２０のループ途中を箱状本体４１の外部へ引き出すことにより、軸芯２０がなす径を小さく調整することができる。
【００３３】
一方、軸芯２０がなす径が小さいような場合には、箱状本体４１の両側の挿通溝４３より軸芯２０を適当な長さ分だけ箱状本体４１の外部へ引き出すことにより、調整分のループを縮小して軸芯２０がなす径を大きく調整することができる。軸芯２０がなす径を最適な大きさに調整した後、径調整部４０の操作杆４５を後方に押し込むことにより、ストッパ４４によって軸芯２０が拘束された状態に維持される。
【００３４】
図６に示すように、マッサージ器１０の内側、すなわち軸芯２０がなす輪の中に脚部の先を通すように装着すると、輪状の軸芯２０を周回している複数のローラ３０が脚部に対して全周方向から押圧刺激を与える。このように装着した状態で、マッサージ器１０を脚部の略全長に亘って移動させると良い。
【００３５】
本マッサージ器１０では、複数のローラ３０，３０ａのうち相対向する一対のローラ３０ａに、それぞれ把手３２を設けたことにより、把手３２を掴んでマッサージ器１０全体を支持しながら、容易にマッサージ器１０を脚部に装着したり、容易にマッサージ器１０を移動させることができる。
【００３６】
図６中に矢印で示したように、マッサージ器１０を脚の爪先から太股にかけてゆっくり移動させると、脚部途中の形状及び太さに応じて、前記軸芯２０が拡縮しつつ各ローラ３０が回転し、脚部の全周方向より略全長に亘って満遍なく押圧刺激を与えることができる。
【００３７】
本マッサージ器１０によれば、軸芯２０は、伸縮自在な紐２１を中心として、該紐２１をコイルばね２２の内部に挿通し、該コイルばね２２の外周を伸縮自在なシート２３で被覆して成るので、強靱かつ十分に伸縮性を得ることができると共に、各ローラ３０，３０ａの挿通孔の内側が軸芯２０に対して食い込んだり引っ掛かる事態を防止することができる。
【００３８】
また、各ローラ３０，３０ａは、例えば発泡ウレタンや剛性のあるスポンジ等の弾性変形可能な材質から成るので、脚部に過度の刺激を与えるおそれがなく、人の手によってマッサージを施されているような高いリラックス効果を得ることができる。
【００３９】
図７は、本発明の第２実施の形態を示している。  
本実施の形態に係るマッサージ器１０ａは、基本的な構造及び使用方法は前記マッサージ器１０と類似するものであり、相対向する一対の把手６０の先にそれぞれ形成された一対の支持体７０と、各支持体７０の両端同士をそれぞれ繋ぐ湾曲可能な一対の連結軸８０と、各連結軸８０を覆うように外装され、連結軸８０に対して回転可能であり、かつ連結軸８０と共に湾曲可能な一対の長尺ローラ９０とを備える。
【００４０】
各支持体７０の両端同士に連結軸８０及び長尺ローラ９０をそれぞれ繋ぐことにより、相互に輪状に連結して成り、脚部に周回させて装着し脚部の略全長に亘って移動させる際に、脚部途中の形状及び太さに応じて前記長尺ローラ９０が回転しつつ湾曲し、脚部全体ないし腕部に対して押圧刺激を与えるように構成されている。
【００４１】
把手６０は、図示した握り手と柄の部分から成る形状に剛性のある合成樹脂等により成形されており、柄の先端部分に若干湾曲したローラ形の支持体７０がＴ字形に一体的に形成されている。支持体７０の材質は、把手６０の部分の材質とは異なり、例えば発泡ウレタンや剛性のあるスポンジ等の弾性変形可能な材質により成形すると良い。
【００４２】
支持体７０は、その中心軸に沿って挿通孔７１が形成されており、該挿通孔７１には、連結軸７２が回転可能に挿通されている。連結軸７２の両端部は支持体７０の両端面より外部に突出しており、該両端部にはフック７３がそれぞれ形成されている。連結軸７２は、例えばゴム紐等により形成すれば良く、また、フック７３は、人体を傷つけるおそれがないように合成樹脂により丸みを帯びた形状に形成すると良い。
【００４３】
長尺ローラ９０にも、その中心軸に沿って挿通孔９１が形成されており、該挿通孔９１には、連結軸８０が回転可能に挿通されている。また、長尺ローラ９０は、例えば発泡ウレタンや剛性のあるスポンジ等の弾性変形可能な材質より円柱形に成形したものである。長尺ローラ９０及び連結軸８０は、長さの異なる複数種類のものが用意され、脚部全体の太さに応じて交換可能となっている。すなわち、例えば図７に示した長尺ローラ９０の長さを基準として、これよりも１．５倍程度に長いもの、あるいは逆に０．５倍程度に短いものを用意しておくと良い。
【００４４】
連結軸８０の両端部は長尺ローラ９０の両端面より外部に突出しており、該両端部には、前記フック７３を掛止するリング８１がそれぞれ形成されている。連結軸８０は、長尺ローラ９０と共に湾曲可能な例えばゴム紐等により形成すれば良く、また、リング８１は、人体を傷つけるおそれがないように、前記フック７３と同様に合成樹脂により丸みを帯びた形状に形成すると良い。
【００４５】
本実施の形態に係るマッサージ器１０ａによれば、前記第１実施の形態に係るマッサージ器１０の場合と同様に、脚部の先をマッサージ器１０ａの内側に通すように装着すると、相対向する一対の支持体７０と、各支持体７０の両端同士を繋ぐ一対の連結軸８０の周りの長尺ローラ９０とが、それぞれ脚部に対して全周方向から押圧刺激を与える。
【００４６】
このように装着した状態で、マッサージ器１０ａを脚部の略全長に亘って移動させる。例えば脚の爪先から太股にかけて移動させると、脚部途中の形状及び太さに応じて長尺ローラ９０が回転しつつ湾曲し、脚部の全周方向より略全長に亘って満遍なく押圧刺激を与えることになる。
【００４７】
また、前記一対の支持体７０は、それぞれ相対向する一対の把手６０の先に形成されているから、把手６０を掴んでマッサージ器１０ａ全体を支持しながら、容易にマッサージ器１０ａを脚部ないし腕部に装着したり、容易にマッサージ器１０ａを移動させることができる。
【００４８】
特に、本実施の形態に係るマッサージ器１０ａによれば、長尺ローラ９０は、長さの異なる複数種類のものが用意されており、脚部の太さに応じて交換可能であるから、人により様々に異なる脚部の太さに応じて、マッサージに最適な大きさに調整することができる。ここで長尺ローラ９０の交換に際しては、支持体７０側にあるフック７３から長尺ローラ９０側にあるリング８１を取り外せば良く、簡単に交換することができるようになっている。
【００４９】
以上、本発明の実施の形態を図面によって説明してきたが、具体的な構成は前述した実施の形態に限られるものではなく、本発明の要旨を逸脱しない範囲における変更や追加があっても本発明に含まれる。例えば、前記各実施の形態では、脚部用のマッサージ器として説明したが、例えば、マッサージ器全体の大きさを少し小型化することにより、腕用のマッサージ器として構成しても良い。
【図面の簡単な説明】
【００５０】
【図１】本発明の第１実施の形態に係るマッサージ器を示す斜視図である。
【図２】本発明の第１実施の形態に係るマッサージ器の軸芯を示す横断面図である。
【図３】本発明の第１実施の形態に係るマッサージ器の軸芯を示す縦断面図である。
【図４】本発明の第１実施の形態に係るマッサージ器の径調整部を示す斜視図である。
【図５】本発明の第１実施の形態に係るマッサージ器の径調整部を示す縦断面図である。
【図６】本発明の第１実施の形態に係るマッサージ器の使用状態を示す説明図である。
【図７】本発明の第２実施の形態に係るマッサージ器を示す斜視図である。
【符号の説明】
【００５１】
１０…マッサージ器
１０ａ…マッサージ器
２０…軸芯
２１…紐
２２…コイルばね
２３…シート
３０…ローラ
３０ａ…ローラ
３１…挿通孔
３２…把手
４０…径調整部
４１…箱状本体
４１ａ…蓋部
４１ｂ…ガイド溝
４２…中空部
４３…挿通溝
４４…ストッパ
４５…操作杆
４６…ばね部材
６０…把手
７０…支持体
７１…挿通孔
７２…連結軸
７３…フック
８０…連結軸
８１…リング
９０…長尺ローラ
９１…挿通孔
【図１】
0004732158.tif 000002
【図２】
0004732158.tif 000003
【図３】
0004732158.tif 000004
【図４】
0004732158.tif 000005
【図５】
0004732158.tif 000006
【図６】
0004732158.tif 000007
【図７】
0004732158.tif 000008